(57)【要約】【課題】内周面である艶消し面と端面である光輝面との見切り（境界）が明瞭となり、夜間の照明時にデザイン的に文字板とその周囲の部分との境界を明瞭に区別し易い計器装置を提供すること。【解決手段】計器装置は、文字板取付穴１６が設けられた計器文字パネル５と、筒状に形成され且つ文字板取付穴１６に一端側が挿入嵌合されていると共に端面及び内周面がそれぞれ光輝面１９及び艶消し面１８であるメータリング１７と、メータリング１７内に配設され且つ周縁部に目盛２５が設けられた文字板２０と、メータリング１７の艶消し面１８を照明する照明手段Ｓを備えている。しかも、メータリング１７用の樹脂リングを成形する際に形成された梨地が樹脂リングの内周面に設けられていると共に、この樹脂リングを鍍金処理することにより形成された光輝面１９及び艶消し面１８がメータリング１７に設けられている。【選択図】  図２
2005140695.tif 000002
【特許請求の範囲】
【請求項１】
文字板取付穴が設けられた計器文字パネルと、筒状に形成され且つ前記文字板取付穴に一端側が挿入嵌合されていると共に端面及び内周面がそれぞれ光輝面及び艶消し面であるメータリングと、前記メータリング内に配設され且つ周縁部に目盛が設けられた文字板と、前記メータリングの艶消し面を照明する照明手段を備える計器装置において、
前記メータリング用の樹脂リングを成形する際に形成された梨地が前記樹脂リングの内周面に設けられていると共に、前記樹脂リングを鍍金処理することにより形成された前記光輝面及び艶消し面が前記メータリングに設けられていることを特徴とする計器装置。
【請求項２】
前記艶消し面は凹面状に形成されていることを特徴とする請求項１に記載の計器装置。
【請求項３】
前記艶消し面と光輝面の境界に段差を設けたことを特徴とする請求項１に記載の計器装置。
【発明の詳細な説明】
【技術分野】
【０００１】
この発明は、文字板の周囲を文字板とは別部材でリング状に縁取りした計器装置に関するものである。
【背景技術】
【０００２】
従来の計器装置としては、文字板の周囲を文字板とは別部材のメータリングでリング状に縁取りしたものが知られている（例えば特許文献１参照）。
【０００３】
このメータリングでは、端面を光輝面とすると共に内周面を艶消し面とすることにより、デザイン的に文字板とその周囲の部分との境界を明瞭に区別できるようにしていた。
【０００４】
このため従来は、樹脂製のリング部材を金属色に鍍金処理して、リング部材の表面を光沢のある面にした後、リング部材の内周面に他の色の塗料を塗装して、リング部材の内周面を艶消し面とすることにより、上述したメータリングを形成していた。
【特許文献１】特開２００２−３２３３５３号公報
【発明の開示】
【発明が解決しようとする課題】
【０００５】
しかしながら、従来は、全体が鍍金処理されたリング部材の内周面の鍍金面上に塗装をするため、リング部材の内周面と端面との間に見切り線や段差が必要であった。
【０００６】
また、内周面と端面との間に見切り線を設ける場合には、見切りのためのマスク治具を必要としていた。しかも、このマスク治具を用いた状態でリング部材の内周面に塗装を施した場合、見切り線がボケて見えるので、見栄えが悪いものであった。
【０００７】
更に、艶消し面となる塗装面は光の吸収が良いため、この艶消し面を夜間に照明した時に、メータリングは暗くなる傾向にあり、デザイン的に文字板とその周囲の部分との境界を明瞭に区別しにくいものであった。
【０００８】
そこで、この発明は、内周面である艶消し面と端面である光輝面との見切り（境界）が明瞭となり、夜間の照明時にデザイン的に文字板とその周囲の部分との境界を明瞭に区別し易い計器装置を提供することを目的とするものである。
【課題を解決するための手段】
【０００９】
そこで、この発明は、文字板取付穴が設けられた計器文字パネルと、筒状に形成され且つ前記文字板取付穴に一端側が挿入嵌合されていると共に端面及び内周面がそれぞれ光輝面及び艶消し面であるメータリングと、前記メータリング内に配設され且つ周縁部に目盛が設けられた文字板と、前記メータリングの艶消し面を照明する照明手段を備える計器装置において、前記メータリング用の樹脂リングを成形する際に形成された梨地が前記樹脂リングの内周面に設けられていると共に、前記樹脂リングを鍍金処理することにより形成された前記光輝面及び艶消し面が前記メータリングに設けられていることを特徴とする。
【発明の効果】
【００１０】
この構成によれば、内周面である艶消し面と端面である光輝面との見切り（境界）が明瞭となると共に、夜間の照明時にデザイン的に文字板とその周囲の部分との境界を明瞭に区別し易くなる。
【発明を実施するための最良の形態】
【００１１】
以下、この発明の実施の形態を図面に基づいて説明する。
【００１２】
図１，図２は、自動車等の乗物の計器装置を示したものである。尚、Ｍ１は計器装置のスピードメータ、Ｍ２は計器装置タコメータである。このスピードメータＭ１及びタコメータＭ２は構造的に略同じであるので、スピードメータＭ１とその関連する構成についてのみ以下説明する。
【００１３】
この計器装置は、図２に示したようにハウジング（装置本体）１と、ハウジング１の裏面に取り付けられた回路基板２と、回路基板２を覆うバックカバー３を有する。
【００１４】
また、計器装置は、ハウジング１の正面側周縁に沿って環状に延び且つハウジング２の正面上に取り付けられた見返板４と、見返板４の内側に位置させてハウジング１の正面上に取り付けられた計器文字パネル５と、見返板４の開口を覆うフロントカバー６を有する。
【００１５】
更に、ハウジング１には、回路基板２側に窪んだ凹部７と、凹部７の中央部に形成された文字板支持用の筒状突部８と、筒状突部８の周囲に形成されたガイド支持用の膨出突部９が形成されている。この筒状突部８は、ハウジング１の計器文字パネル５が当接支持されている面よりも僅かに凹部７から突出させられている。また、膨出突部９の頂壁９ａは、ハウジング１の計器文字パネル５が当接支持されている面よりも僅かに凹部７内に位置している。
【００１６】
しかも、ハウジング１には、凹部７の周縁部に位置させて段差壁１０が形成され、この段差壁１０には爪挿通孔１１が形成されている。この段差壁１０には回路基板２及び膨出突部９側に向けて傾斜する傾斜壁１２が連設され、傾斜壁１２の背面には爪挿通孔１１に対応し且つ回路基板２に対向する爪係止段部１３が形成されている。
【００１７】
更に、膨出突部９の頂壁９ａには、爪挿通孔１４が形成されていると共に、爪挿通孔１４の部分から回路基板２側に向けて突出する爪係止片１５が一体に形成されている。
【００１８】
また、計器文字パネル５にはハウジング１に対応して文字板取付穴１６が形成され、この文字板取付穴１６には筒状に形成されメータリング（環状縁取り部材）１７が挿入嵌合されている。
【００１９】
このメータリング１７は、図２，図３に示したように文字板取付穴１６に挿入嵌合された断面が円弧状で凹面状の環状反射部１７ａと、この環状反射部１７ａの文字板取付穴１６から突出する端部に計器文字パネル５側に向けて折り返すように連設された環状脚部１７ｂと、環状反射部１７ａの回路基板２側の端部に連設された内方フランジ１７ｃと、環状反射部１７ａの回路基板２側の端部に一体に形成された係止爪１７ｄを有する。
【００２０】
この環状脚部１７ｂは計器文字パネル５に当接させられ、内方フランジ１７ｃは段差壁１０に当接させられている。しかも、係止爪１７ｄは、回路基板２側に向けて突出していて、爪挿通孔１１に挿通されていると共に、爪係止段部１３に係止されている。これにより、メータリング１７はハウジング１に着脱可能に取り付けられている。
【００２１】
しかも、このメータリング１７の環状反射部１７ａの内周面は凹面状の艶消し面１８となっており、環状脚部１７ｂの外周面も艶消し面１８′となっている。また、メータリング１７の文字板取付穴１６からの突出端、即ち環状反射部１７ａと環状脚部１７ｂの連設部１７ｅには光輝面１９が設けられている。
【００２２】
このメータリング１７の製造に際しては、先ず成形型（成形金型）を用いて樹脂を射出成形することにより、上述した環状反射部１７ａ，環状脚部１７ｂ，内方フランジ１７ｃ，係止爪１７ｄ等の部分を有する樹脂リングを形成する。しかも、この成形に際して樹脂リングの環状反射部１７ａの内周面全体および環状脚部１７ｂの外周面に梨地（シボ）を成形型により形成する。そして、この梨地が設けられた樹脂リングを鍍金処理する。
【００２３】
これにより、環状反射部１７ａの内周面が艶消し面１８になり、環状脚部１７ｂの外周面が艶消し面１８′になると共に、メータリング１７の文字板取付穴１６からの突出端、即ち環状反射部１７ａと環状脚部１７ｂとの連設部１７ｅの端面が光輝面（光沢面）１９となる。そして、環状反射部１７ａと連設部１７ｅとの角及び環状脚部１７ｂと連設部１７ｅとの角が艶消し面１８，１８′と光輝面１９との境界線となる。
【００２４】
このメータリング１７の環状反射部１７ａ内には文字板２０が配設され、文字板２０の背面には外径が文字板２０と略同形状のライトガイド２１が一体に固着されている。このライトガイド２１は膨出突部９の頂面９ａに当接させられている。しかも、ライトガイド２１の背面には係止爪２２が回路基板２側に向けて突設されている。
【００２５】
この係止爪２２は、爪挿通孔１４に挿通されていると共に、係止片１５に係止されている。これにより、文字板２０及びライトガイド２１がハウジング１に取り付けられている。尚、この状態ではライトガイド２１の周縁部が内方フランジ１７ｃと僅かに重なるように配置されている。そして、ライトガイド２１の周面と環状反射部１７ａの艶消し面１８との間には間隙２３が形成されている。
【００２６】
また、文字板２０には、図１に示したように文字板２０の意味を表示する文字２４と、目盛２５が設けられている。この例では、スピードメータＭ１であるので文字２４は「ｋｍ／ｈ」の表示となっている。また、目盛２５は、文字板２０の周縁部に沿って配列された目盛り線部２５ａ及びその内側に設けられた数字部２５ｂを有する。この文字板２０は、文字２４及び目盛２５の部分が光透過可能に着色され、他の部分は光が透過しないように例えば黒色等に着色されている。
【００２７】
更に、図２に示したように、回路基板２にはライトガイド２１に照明光を投影する光源としてのＬＥＤ２６が取り付けられている。このＬＥＤ２６及びライトガイド２１は照明手段Ｓを構成している。
【００２８】
また、回路基板２の背面側にはステッピングモータ（駆動モータ）２７が取り付けられ、ステッピングモータ２７の回動出力軸２８が回路基板２を貫通して筒状突部８内に突出させられている。しかも、文字板２０の表面側には指針２９が配設され、指針２９と一体の軸部２９ａが文字板２０を貫通して筒状突部８内に配設されている。そして、ステッピングモータ２７の回動出力軸２８に指針２９の軸部２９ａが取り付けられている。
【００２９】
尚、このようなスピードメータＭ１の構成はタコメータＭ２にも適用されている。また、文字板の周囲をリング照明するメータであれば、上述したスピードメータＭ１のメータリング１７及びその照明手段Ｓの構成を適用できる。
【００３０】
次に、この様な構成の計器装置の作用を説明する。
【００３１】
上述したステッピングモータ２７は、図示しない速度センサからの出力に応じて動作して、回動出力軸２８及び指針２９が回動させられ、指針２９が車速を指示する。
【００３２】
また、夜間等においてＬＥＤ２６を点灯させると、ＬＥＤ２６から出射した光がライトガイド２１に入射する。この入射した光は、ライトガイド２１を介して文字板２０に背面を照明して、文字２４及び目盛２５を光らせる。
【００３３】
一方、ライトガイド２１に入射した光の一部は、ライトガイド２１の周面から出射して、メータリング１７の凹面状でスロープ状の艶消し面１８に照射される。これにより、艶消し面１８は、ライトガイド２１の周面から照射される光を乱反射して柔らかなリング照明となるので、ムラのない夜間照明が得られる。
【００３４】
この際、艶消し面１８の梨地の周縁がリング状の艶消し面１８とその周囲のリング状の光輝面１９との間の見切りとなるので、見切りの部分がボケるようなことがない。
（変形例）
また、上述した実施例では、メータリング１７の環状反射部１７ａと連設部１７ｅとの角及び環状脚部１７ｂと連設部１７ｅとの角を艶消し面１８，１８′と光輝面１９との境界線とした例を示したが、必ずしもこれに限定されるものではない。
【００３５】
例えば、図４に示したようにメータリング１７の艶消し面１８，１８′と光輝面１９との境界に微小幅（微小寸法）Ｘの段差３０，３０を形成することにより連設部１７ｅを凸形状に形成して、凸形状の連設部１７ｅの面を光輝面１９としても良い。この光輝面１９は、凸形状の連設部１７ｅの端面１９ａと凸形状の連設部１７ｅの内周面（内側面）及び外周面（外側面）１９ａ，１９ｂに跨って形成されている。
【００３６】
この場合、段差（環状段差）３０，３０の微小幅（微小寸法）Ｘは、例えば０．２ｍｍ程度とすると良いが、これに限定されるものではなく、０．２ｍｍ前後の寸法であっても良い。
【００３７】
尚、このようなメータリング１７は、図５に示したような成形金型３１を用いて形成される。この成形金型３１は、分割成形金型３２，３３，３４及び環状の入れ子３５を有する。
【００３８】
この分割成形金型３２は、環状突部３２ａを有すると共に、環状突部３２ａに跨る凹面状の内周面３２ｂを有する。また、分割成形金型３３は環状に形成され、分割成形金型３３の内周面３３ａは環状突部３２ａの外周面３２ｃに対向させられている。
【００３９】
更に、分割成形金型３４は分割成形金型３２，３３の内側に配設されていると共に、分割成形金型３４には分割成形金型３２の内周面３２ｂに対向する外周面３４ａが形成されている。しかも、分割成形金型３３の内周面３３ａ及び分割成形金型３４の外周面３４ａには梨地（シボ）が形成されている。
【００４０】
また、環状の入れ子３５は、分割成形金型３３，３４段差部３３ｂ，３４ｂにビス３６で固定されている。この入れ子３５は、環状突部形成用の凹部３５ａ及び段差形成面３５ｂを有する。この環状突部形成用の凹部３５ａ及び段差形成面３５ｂは鏡面仕上げされている。
【００４１】
そして、分割成形金型３２，３３，３４及び入れ子３５間にメータリング成型用のキャビティ３７が形成される。このキャビティ３７は、分割成形金型３２の内周面３２ｂと分割成形金型３４の外周面３４ａとの間に形成された環状反射部形成用の環状空間３７ａと、分割成形金型３３の内周面３３ａと環状突部３２ａの外周面３２ｃとの間に形成された環状脚部形成用の空間３７ｂと、分割成形金型３２の環状突部３２ａと入れ子３５との間に形成された連設部形成用の空間３７ｃを有する。
【００４２】
このような構成を有する成形金型３１のキャビティ３７内に溶融樹脂を射出して硬化させることにより、図４に示したような断面のメータリング１７が形成される。
【００４３】
このような構成によれば、成形金型３１は分割成形金型３２，３３，３４及び環状の入れ子３５を備えているので、型磨きし易い。特に、入れ子３５は環状で板状であるので、光輝面１９，１９ａ，１９ｂを形成する入れ子３５の環状突部形成用の凹部３５ａ及び段差形成面３５ｂの磨きが容易となる。
【００４４】
また、段差３０，３０を設けているので、艶消し面１８と光輝面１９の境界をより明瞭にすることができる。
【００４５】
以上説明したように、この発明の実施の形態の計器装置は、文字板取付穴１６が設けられた計器文字パネル５と、筒状に形成され且つ前記文字板取付穴１６に一端側が挿入嵌合されていると共に端面及び内周面がそれぞれ光輝面１９及び艶消し面１８であるメータリング１７と、前記メータリング１７内に配設され且つ周縁部に目盛２５が設けられた文字板２０と、前記メータリング１７の艶消し面１８を照明する照明手段Ｓ（ライトガイド２１，ＬＥＤ２６）を備えている。しかも、前記メータリング１７用の樹脂リングを成形する際に形成された梨地が前記樹脂リングの内周面に設けられていると共に、前記樹脂リングを鍍金処理することにより形成された前記光輝面１９及び艶消し面１８が前記メータリング１７に設けられている。
【００４６】
この構成によれば、内周面である艶消し面１８と端面である光輝面１９との見切り（境界）が明瞭となると共に、夜間の照明時にデザイン的に文字板２０とその周囲の部分との境界を明瞭に区別し易くなる。しかも、艶消し面１８の梨地の周縁が見きりとなるので、艶消し面１８と光輝面１９との間の見切りが明瞭となり、見切りがボケることがない。
【００４７】
また、この発明の実施の形態の計器装置は、前記艶消し面１８を凹面状に形成している。この構成によれば、凹面状の艶消し面１８がスロープ状に湾曲傾斜しているので、照明手段Ｓ（ライトガイド２１，ＬＥＤ２６）により艶消し面１８が照明されると、艶消し面１８は梨地の作用により入射する光を乱反射して柔らかなリング照明となり、ムラのない夜間照明が得られる。
【００４８】
また、この発明の実施の形態の計器装置は、前記艶消し面１８と光輝面１９の境界に段差３０を設けている。この構成によれば、艶消し面１８と光輝面１９の境界をより明瞭にすることができる。
【図面の簡単な説明】
【００４９】
【図１】この発明に係る計器装置の部分正面図である。
【図２】図１のＡ−Ａ線に沿う断面図である。
【図３】図２の要部拡大断面図である。
【図４】この発明の変形例を示す要部拡大断面図である。
【図５】図４に示したメータリングを形成するための成形金型の断面図である。
【符号の説明】
【００５０】
５…計器文字パネル
１６…文字板取付穴
１７…メータリング
１８…艶消し面
１９…光輝面
２０…文字板
２５…目盛
３０…段差
Ｓ…照明手段
【図１】
2005140695.tif 000003
【図２】
2005140695.tif 000004
【図３】
2005140695.tif 000005
【図４】
2005140695.tif 000006
【図５】
2005140695.tif 000007